(57)【要約】      （修正有）【課題】ポール部分及び／又はツールのゆるみ及び／又は分離を防止するために、相互結合を非常に堅固にする。【解決手段】種々の実施形態において、システムは、第１のポール部分１４の管状雌端部２６と、雌端部に挿入可能である第２のポール部分１８の雄端部３０とを含む。更に、システムは、本体部分及びネック部分を含むロックナット３４を含み、ロックナット３４は雄端部３０と螺合する。更に、システムは、ロックナット３４のネック部分に嵌合するように内部空洞を有するロックスリーブと、ロックナット及びロックスリーブに逆方向の力を加えるために、ロックスリーブの内部空洞の中に配置された偏向装置とを含む偏向ロックスリーブ構体を含む。【選択図】図１
2009236913.tif 000002
【特許請求の範囲】
【請求項１】
第１のポール部分（１４）を第２のポール部分（１８）に結合するシステムにおいて、
前記第１のポール部分（１４）の管状雌端部（２６）及び前記雌端部（２６）に挿入可能である前記第２のポール部分（１８）の雄端部（３０）と；
本体部分及び前記本体部分から延出し且つ前記本体部分より小さい外径を有するネック部分を含み、前記雄端部（３０）と螺合し、前記雄端部（３０）を前記雌端部（２６）と固定結合するために、長手方向に変位して前記雌端部（２６）と接触するように回転自在であるロックナット（３４）と；
前記第２のポール部分のロック構体部分（７８）に摺動自在且つ回転自在に装着された偏向ロックスリーブ構体（７４）とを具備し、前記ロックスリーブ構体（７４）が、
前記ロックナットの前記ネック部分に嵌合するように、前記ロックナットの前記ネック部分の外径とほぼ等しい内径を有する内部空洞（８８）を含むロックスリーブ（８２）と；
前記ロックナット（３４）及び前記ロックスリーブ（８２）に逆方向の力を加えるために、前記ロックスリーブ（８２）の前記内部空洞（８８）の中に配置された偏向装置（８６）とを含むシステム。
【請求項２】
前記ロックナットの前記ネック部分は、１対の両側の平坦な外面（９８）を具備する請求項１記載のシステム。
【請求項３】
前記ロックスリーブ（８２）は、前記ロックナットの前記ネック部分の前記平坦な外面（９８）と整列可能且つ協働可能である１対の平坦な内側縁部（１００）を具備する請求項２記載のシステム。
【請求項４】
前記ロックスリーブ（８２）は、前記ロックスリーブ（８２）の先端部（９２）に沿って複数のロック凹部（９４）を具備し、前記ロック凹部（９４）は、前記ロックスリーブ（８２）をロック位置に配置するために、前記ロック構体部分（７８）を貫通するロックスリーブ保持ピン（１１０）と係合可能である請求項３記載のシステム。
【請求項５】
前記ロックナットの前記ネック部分は、前記ネック部分の基部（１０６）に１対の下部切欠き（１０４）を更に具備し、前記ロックスリーブ（８２）を前記ロックナット（３４）と係合し且つ前記ロックスリーブ（８２）をロック解除位置に配置するために、前記下部切欠き（１０４）の大きさは、前記ロックスリーブの前記ネック部分に関する前記ロックスリーブ（８２）の部分回転を可能にするために前記ロックスリーブの前記平坦な内側縁部（１００）を受け入れるように規定される請求項４記載のシステム。
【発明の詳細な説明】
【技術分野】
【０００１】
本発明は、２つのポール部分が使用中に離脱しないように、２つのポール部分を堅固に結合又は連接するシステム及び方法に関する。
【背景技術】
【０００２】
本章の説明は、本発明に関連する背景情報を提供するにすぎず、従来技術を構成しなくてもよい。
【０００３】
種々の業界において、動作、製造、編成、検査及び保守に関わる種々の作業を実行するために、長いポールが使用される。利便性及び融通性を考慮して、ポールは、ある特定の長さのポールを形成するために種々の長さのポール部分を一体に結合することにより構成又は組み立てられることが多い。更に、多くの場合、所望の作業を実行するために、組み立て終了後のポールの一端部にツール、あるいは他の何らかの計器又は装置が結合される。多くの場合、ポール部分の相互結合及びツールとそれぞれのポール部分との相互結合は、使用中に相当に大きな応力、振動、揺動及び／又は回転トルクを発生する可能性がある。従って、使用中のポール部分及び／又はツールのゆるみ及び／又は分離を防止するために、相互結合を非常に堅固にすることが重要である。
【０００４】
例えば、原子炉容器の中で種々の保守作業、検査作業及び修理作業を実行するために利用されるツールを操作するために、原子炉保守技術者は、高トルク分割ハンドリングポールを使用する場合が多い。原子炉容器の内部におけるポール及びツールの操作中、特に技術者がポールに回転トルクを加えた場合、ポール部分及びツールを一体に結合するために使用される１つ以上の結合構体がゆるみ、分離する事態は頻繁に起こる。ポール部分及び／又はツールのそのような分離が起こると、ポール部分又はツールが回収されるまで、活動を中断しなければならない。
【発明の概要】
【０００５】
種々の実施形態において、第１のポール部分を第２のポール部分に連接するシステムが提供される。システムは、第１のポール部分の管状雌端部と、雌端部に挿入可能である第２のポール部分の雄端部とを含む。更に、システムは、本体部分と、本体部分から延出するネック部分とを含むロックナットを含む。ロックナットは、雄端部と螺合しロックナットを長手方向に変位して雌端部と接触させるように回転自在である。更に、システムは、第２のポール部分のロック構体部分に摺動自在且つ回転自在に装着された偏向ロックスリーブ構体を含む。ロックスリーブ構体は、ロックナットのネック部分に嵌合するようにロックナットのネック部分の外径とほぼ等しい内径を有する内部空洞を含むロックスリーブと、ロックナット及びロックスリーブに逆方向の力を加えるために、ロックスリーブの内部空洞の中に配置された偏向装置とを含む。
【０００６】
種々の他の実施形態において、第１のポール部分を第２のポール部分に連接するシステムが提供される。システムは、第１のポール部分の管状雌端部を含んでもよい。管状雌端部は、１対の対向するほぼＪ字形の結合溝穴を含み、各結合溝穴は、雌端部の先端部において開いたバックボーン部分を有する。システムは、結合ピンが貫通する第２のポール部分の雄端部を更に含んでもよい。結合ピンの両端部が結合溝穴のバックボーン部分に挿入され且つそれぞれ対応する結合溝穴のフック部分まで半径方向に変位自在であるように、雄端部は雌端部に挿入可能である。システムは、雄端部の基端部において雄端部と螺合するロックナットを更に含んでもよい。ロックナットは、本体部分と、本体部分から延出し且つ本体部分より小さい外径を有するネック部分とを含んでもよい。雄端部を雌端部と固定連接するため、結合ピンの端部が結合溝穴のフック部分の中まで移動するようにロックナットの本体部分を長手方向に変位して雌端部と接触させるために、ロックナットは回転自在である。
【０００７】
システムは、ロックナットと第２のポール部分のロックスリーブ構体部分の基端部との間でロックスリーブ構体部分を貫通するロックスリーブ保持ピンと、偏向ロックスリーブ構体とを更に含んでもよい。ロックスリーブ構体は、ロックナットとロックスリーブ保持ピンとの間でロックスリーブ構体部分に摺動自在且つ回転自在に装着される。種々の実現例において、ロックスリーブ構体は、ロックスリーブ及び偏向装置を含んでもよい。種々の形態において、ロックスリーブは、第２のポール部分のロック構体部分の外径とほぼ等しい内径を有する内側つばと、ロックスリーブがロックナットのネック部分に嵌合するように、ロックナットのネック部分の外径とほぼ等しい内径を有する内部空洞とを含んでもよい。偏向装置は、ロックナット及びロックスリーブに逆方向の力を加えるために、ロックスリーブの内部空洞の中に配置される。
【０００８】
種々の他の実施形態において、第１のポール部分を第２のポール部分に連接する方法が提供される。方法は、第２のポール部分の雄端部を貫通する結合ピンの両端部が第１のポール部分の管状雌端部に形成された対向するＪ字形結合溝穴のバックボーン部分に挿入されるように、雌端部を雄端部に嵌合することを含む。方法は、結合ピンの端部をそれぞれ対応する結合溝穴のフック部分まで半径方向に変位するために、雄端部及び雌端部のうち少なくとも一方を互いに対して回転することを更に含んでもよい。更に、方法は、雄端部を雌端部と固定連接するために、雄端部の基端部において雄端部と螺合するロックナットの本体部分を長手方向に変位して雌端部と接触させ、それにより、結合ピンの端部をフック部分の中まで移動するように、ロックナットを回転することを含んでもよい。
【０００９】
更に、方法は、ロックナットのネック部分に嵌合し且つネック部分と固定係合する偏向ロックスリーブをロックナットのネック部分から離脱するために、ロックスリーブを回転することを含んでもよい。更に、方法は、ロックスリーブをロック位置に配置するために、ロックスリーブの内部空洞の中に配置された偏向装置を利用して、ロックスリーブに力を加え且つロックナットのネック部分に沿ってロックスリーブを長手方向に変位することを含んでもよい。ロック位置において、雄端部と雌端部との離脱を防止するために、雄端部に関するロックスリーブ及びロックナットの回転は阻止されるか又は相当に抑止される。
【００１０】
本発明の更なる適用可能範囲は、本明細書において提供される説明から明らかになるであろう。説明及び特定の例は、例示を目的とするにすぎず、本発明の範囲を限定することを意図しないことが理解されるべきである。
【図面の簡単な説明】
【００１１】
本明細書において説明される図面は、例示を目的とするにすぎず、本発明の範囲をなんら限定することを意図しない。
【図１】図１は、本発明の種々の実施形態に係る結合システムを利用して一体に連接される隣接するポール部分を含む分割ハンドリングポールの一部を示した図である。
【図１Ａ】図１Ａは、本発明の種々の実施形態に係る隣接するポール部分が分離された図１に示されるハンドリングポールを示した図である。
【図２】図２は、本発明の種々の実施形態に係る図１に示されるハンドリングポールを示した展開図である。
【図３Ａ】図３Ａは、本発明の種々の実施形態に係る図１に示される分割ハンドリングポールに含まれるロックスリーブ構体を示した断面図である。
【図３Ｂ】図３Ｂは、本発明の種々の実施形態に係る図３Ａに示されるロックスリーブ構体のロックスリーブを示した等角投影図である。
【図３Ｃ】図３Ｃは、本発明の種々の実施形態に係る図１に示される結合システムのロックナットを示した等角投影図である。
【図４Ａ】図４Ａは、本発明の種々の実施形態に係る「ロック」位置にある図３に示されるロックスリーブ構体を示し、図１に示される分割ハンドリングポールの一部を示した断面図である。
【図４Ｂ】図４Ｂは、本発明の種々の実施形態に係る「ロック解除」位置にある図３に示されるロックスリーブ構体を示し、図１に示される分割ハンドリングポールの一部を示した断面図である。
【図５】図５は、本発明の種々の実施形態に係る図１に示される結合システムを利用してツールが結合されている図１に示される分割ハンドリングポールの一部を示した図である。
【発明を実施するための形態】
【００１２】
以下の説明は単なる例であり、本発明の教示、適用又は使用をなんら限定することを意図しない。本明細書を通して、同じ図中符号は、同じ要素を参照するために使用される。
【００１３】
図１及び図１Ａを参照すると、分割ハンドリングポール１０の例示的な一実施形態が示される。動作、製造、編成、検査及び保守に関わる種々の作業を実行すべき機器、システム、器械、装置、構成要素などにごく近接する場所にいる作業員がそれらの作業を実行するのが不便であるか又は不可能である場合に、それらの作業を実行するためにハンドリングポール１０を実現できる。例えば、種々の実施形態において、原子炉容器の内側で種々の保守作業、検査作業及び修理作業を実行するために使用されるツールを原子炉保守技術者が操作するために、分割ハンドリングポール１０を利用できる。
【００１４】
一般に、ハンドリングポール１０は、結合システム２２を利用して第２のポール部分１８と一体に結合された第１のポール部分１４を含む。一般に、第１のポール部分１４及び第２のポール部分１８は、各々が以下に説明されるように同一の部品、構成要素及び構造を具備するという点で同一である。しかし、第１のポール部分１４及び第２のポール部分１８は、ハンドリングポール１０を構成するために、すなわち組み立てるために一体に結合できる複数のほぼ同様のポール部分のうち２つを例示的に示しているにすぎない。すなわち、第１のポール部分１４及び第２のポール部分１８の長さは同一であっても異なっていてもよいこと、及びハンドリングポール１０は、例示的に示される第１のポール部分１４及び第２のポール部分１８より多くのポール部分を具備してもよいことが理解されるべきである。従って、本明細書において説明されるように、結合システム２２を使用して所望の長さの２つ以上のポール部分、例えば第１のポール部分１４及び第２のポール部分１８を結合することにより、任意の所望の長さとなるようにハンドリングポール１０を構成すること、すなわち組み立てることができる。
【００１５】
次に図１、図１Ａ及び図２を参照すると、種々の実施形態において、結合システム２２は、第１のポール部分１４の管状雌端部２６と、第２のポール部分１８の雄端部３０とを含む。管状雌端部２６の内径の大きさは、雄端部３０の外径とほぼ等しくなるように規定される。従って、雄端部３０の外径と雌端部の内径との間に遊び、隙間、間隙又は空間がごくわずかしか存在しない状態で、雄端部３０を雌端部２６に挿入できる。そのため、雄端部３０は、雌端部２６にぴったりと嵌合するので、第１のポール部分１４及び第２のポール部分１８は、互いにほぼぐらつきのない、すなわち安定した延長部分を形成する。
【００１６】
更に、種々の形態において、結合システム２２は、雄端部３０に形成されたねじ３８と螺合するロックナット３４を含む。雄端部３０の軸Ａに沿ってＸ＋方向及びＸ−方向にロックナット３４を長手方向に変位するために、雄端部３０に関してロックナット３４を回転できる。例えば、雄端部３０が雌端部２６に挿入された後、雄端部３０を雌端部２６と固定結合するために、ロックナット３４をＸ−方向に長手方向に変位して雌端部２６と接触させる（図４Ａに示されるように）ように、ロックナット３４を回転できる。
【００１７】
特に、種々の実施形態において、雄端部３０は、ねじ３８と雄端部３０の先端部４６との間で雄端部３０を横方向に貫通する結合ピン４２を含む。更に、雌端部２６は、１対の対向するほぼＪ字形の結合溝穴５０を含む。図１Ａに最もよく示されるように、各Ｊ字形結合溝穴５０は、雌端部２６の先端部５８において開いたバックボーン部分５４と、フック部分６２と、バックボーン部分５４をフック部分６２と結合する底部分６６とを含む。そのような実施形態において、雄端部３０が雌端部２６に挿入された場合、両端部４２Ａ及び４２Ｂは、それぞれ対応するＪ字形結合溝穴５０のバックボーン部分５４に挿入される。そこで、結合ピンの端部４２Ａ及び４２Ｂをバックボーン部分５４から底部分６６を経てフック部分６２まで変位するために、第１のポール部分１４及び／又は第２のポール部分１８を互いに対して回転できる。
【００１８】
次に、ロックナット３４をＸ−方向に長手方向に変位又は移動して雌端部２６の先端部５８と接触させるために、ねじ３８に関してロックナット３４を回転できる。ロックナット３４を更に回転すると、雌端部２６はＸ−方向に移動し、ロックピンの端部４２Ａ及び４２Ｂがフック部分６２の先端部７０に堅固に隙間なく引き込まれるまで、ロックピンの端部４２Ａ及び４２Ｂをフック部分６２の中へ引き込む。ロックピンの端部４２Ａ及び４２Ｂがフック部分６２の先端部７０の中へ堅固に隙間なく引き込まれた場合、雌端部２６及び雄端部３０、特に第１のポール部分１４及び第２のポール部分１８は、互いに固定結合又は固定連接される。
【００１９】
次に図２及び図３Ｃを参照すると、種々の実施形態において、ロックナット３４は、本体部分７１と、本体部分７１から延出するネック部分７２とを含む。ネック部分７２は、本体部分７１の外径より小さい外径を有するように形成される。先に説明したように、結合ピン４２がＪ字形結合溝穴５０に挿入された後、ロックナット３４をＸ−方向に長手方向に変位して雌端部２６と接触させるために、ねじ３８に関してロックナット３４を回転可能である。特に、ロックナット３４をＸ−方向に移動するためにロックナット３４がねじ３８に関して回転される間、ロックナット３４の本体部分７１は、雌端部の先端部５８と接触して、雌端部２６をＸ−方向に移動する。従って、結合ピンの端部４２Ａ及び４２Ｂは、結合溝穴５０のフック部分６２の中まで移動され、それにより、雄端部３０を雌端部２６と固定連接する。
【００２０】
図２、図３Ａ及び図３Ｂを参照すると、種々の実施形態において、結合システム２２は、偏向ロックスリーブ構体７４を更に含む。ロックスリーブ構体７４は、第２のポール部分１８のロック構体部分７８に摺動自在且つ回転自在に装着される。種々の実現例において、ロックスリーブ構体７４は、ロックスリーブ８２と、ロックスリーブ８２の内部空洞８８の中に配置された偏向装置８６とを含む。種々の実施形態において、ロックスリーブ８２は、ロックスリーブ８２の先端部９２に形成された内側つば９０を更に含む。内側つば９０は、第２のポール部分１８のロック構体部分７８の外径とほぼ等しい内径を有するように形成される。更に、ロックスリーブ８２がロックナットのネック部分７２に嵌合するように、内部空洞８８は、ロックナットのネック部分７２の外径とほぼ等しい内径を有するように形成される。偏向装置８６は、ばねとして示されているが、偏向装置８６は、ロックスリーブ８２がロックナット３４のネック部分７２を覆うように位置決めされた場合に、ロックスリーブの内側つば９０にＸ＋方向の力を加えるのに適するばね、弾性ブシュ又は他の任意の装置などの任意の偏向装置であってもよい。
【００２１】
次に図２、図３Ａ、図３Ｂ、図３Ｃ、図４Ａ及び図４Ｂを参照すると、以下に詳細に説明されるように、ロックスリーブ８２は、ロックスリーブ８２の先端部９２においてロックスリーブつば９０の上縁部に沿って形成された複数のロック凹部９４を含む。ロック凹部９４は、ロックスリーブ８２とロックスリーブ構体部分７８の基端部１１４との間でロックスリーブ構体部分７８を貫通するロックスリーブ保持ピン１１０と係合するように形成されるか又はそのような構造を有する。特に、ロックスリーブ構体７４を「ロック」位置（図４Ａ）に配置するためにロックスリーブ保持ピン１１０の両端部１１０Ａ及び１１０Ｂが対向する１対のロック凹部９４と係合し且つロックスリーブ構体７４が「ロック解除」位置（図４Ｂ）に配置された場合には両端部１１０Ａ及び１１０Ｂがロック凹部９４から離脱するように、ロックスリーブ構体７４は動作可能である。
【００２２】
図３Ａに最もよく示される通り、ロックスリーブ保持ピン１１０の端部１１０Ａ及び１１０Ｂを受け入れるように、ロック凹部９４の大きさは規定される。また、ロック凹部９４は、ロックスリーブ保持ピンの端部１１０Ａ及び１１０Ｂを堅固に保持するのに十分な長さＬを有する。特に、ロックスリーブ構体７４が「ロック」位置に配置された場合、Ｘ＋方向にロックスリーブつば９０に加えられる偏向装置８６の偏向力は、ロックスリーブ保持ピン１１０とロック凹部９４との係合をほぼ維持し、それにより、第２のポール部分１８のロック構体部分７８に関するロックスリーブ８２の回転を阻止又は相当に抑止するのに十分な強さである。種々の実現例において、ロックスリーブ構体７４が「ロック」位置にある場合にロックスリーブつば９０に加えられる偏向装置８６の偏向力は、約２ｌｂｓ／ｉｎ〜１０ｌｂｓ／ｉｎ、例えば４ｌｂｓ／ｉｎである。
【００２３】
種々の実施形態において、ロックナットのネック部分７２は、ネック部分７２の長さに沿って延出する１対の両側の平坦な外面９８を含み、ロックスリーブ８２は、ロックスリーブ８２の基端部１０２に沿って半径方向内側へ延出する１対の平坦な縁部１００を含む。平坦な縁部１００は、ロックナットのネック部分７２の平坦な外面９８と整列可能且つ協働可能である。従って、平坦な縁部１００と平坦な外面９８との協働により、ロックスリーブ８２は、ロックスリーブ８２の内部におけるロックナット３４の回転を阻止するのと同時に、ロックナットのネック部分７２に沿って長手方向に変位できる。特に、ロック構体７４が「ロック」位置にある場合、平坦な縁部１００と平坦な外面９８との協働及びロック凹部９４とロックピン１１０との係合は、ねじ３８に関するロックナット３４の回転を阻止するか又は相当に抑止し、それにより、雄端部３０と雌端部２６との分離を阻止するか又は相当に抑止する。
【００２４】
図３Ｃに最もよく示されるように、種々の実施形態において、ロックナットのネック部分７２は、ネック部分７２の基部１０６に１対の下部切欠き１０４を更に含む。下部切欠き１０４の大きさは、ロックスリーブの平坦な内側縁部１００を受け入れ且つロックナットのネック部分７２に関するロックスリーブ８２の部分的な回転を可能にするように規定される。従って、平坦な縁部１００が平坦な外面９８と整列され且つ協働している場合、ロックスリーブ８２は、ロックナットのネック部分７２に沿ってＸ−方向に変位し、それにより、偏向装置８６を圧縮できる。平坦な縁部１００が下部切欠き１０４と整列する場合、ロックスリーブ８２は、ロックナットのネック部分７２に関して部分的に回転でき、それにより、ロックスリーブ８２をロックナット３４と係合するか又はロックスリーブ８２をロックナット３４にロックし、図４Ｂに示されるように、ロックスリーブを「ロック解除」位置に配置できる。「ロック解除」位置にある場合、雄端部３０と雌端部２６とを離脱させるために、すなわち第１のポール部分１４と第２のポール部分１８とを分離するために、ロックナット３４及びロックスリーブ８２が雄端部３０に関して、すなわちねじ３８に関して回転できるように、ロック凹部９４は、ロックスリーブ保持ピン１１０と係合しない状態に維持される。
【００２５】
次に図２、図３Ａ、図３Ｂ、図３Ｃ、図４Ａ及び図４Ｂを参照すると、ロックスリーブ８２を「ロック」位置に配置するために、先に説明したように、平坦な縁部１００と下部切欠き１０４との係合によってロックスリーブ８２と係合されたロックナット３４は、ねじ３８に関して回転される。それにより、ロックナット３４及びロックスリーブ８２は、Ｘ−方向に変位し、先に説明したように、第１のポール部分１４と第２のポール部分１８とを堅固に結合する。次に、ロックスリーブの平坦な縁部１００を下部切欠き１０４から離脱させ、それにより、平坦な縁部１００をロックナットのネック部分７２の平坦な外面９８と整列するために、ロックスリーブ８２は、ロックナットのネック部分７２に関して回転される。平坦な縁部１００が平坦な外面９８と整列され且つ協働する状態になると、偏向装置は、ロックスリーブをロックナットのネック部分７２に沿ってＸ＋方向に変位させるので、１対の対向するロック凹部９４は、ロックピンの端部１１０Ａ及び１１０Ｂと係合する。
【００２６】
偏向装置によりロックスリーブ８２に加えられる力は、ロックスリーブ８２が第２のポール部分１８のロックスリーブ構体部分７８に関して回転するのを阻止するか又は相当に抑止するようにロックピンの端部１１０Ａ及び１１０Ｂをロック凹部９４の中にほぼ維持する。更に、ロックスリーブ８２が第２のポール部分１８のロックスリーブ構体部分７８に関して回転するのが阻止されるか又は相当に抑止される場合、平坦な縁部１００と平坦な外面９８との協働関係は、ねじ３８に関するロックナットの回転を阻止するか又は相当に抑止する。従って、雄端部３０と雌端部２６との分離、すなわち第１のポール部分１４と第２のポール部分１８との分離は阻止されるか又は相当に抑止される。
【００２７】
ロックスリーブ構体７４を「ロック解除」位置に配置するために、偏向装置８６によりロックスリーブ８２に加えられる偏向力に勝り且つ圧縮するのに十分な力が、ロックスリーブ８２にＸ−方向に加えられる。次に、ロックスリーブの平坦な縁部１００がロックナットのネック部分の下部切欠き１０４と整列するまで、ロックスリーブ８２は、Ｘ−方向に変位される。その後、平坦な縁部１００を下部切欠き１０４と係合し、それにより、「ロック解除」位置においてロックスリーブ８２をロックナット３４と係合する状態に維持するために、ロックナットのネック部分７２に関して、ロックスリーブ８２を部分的に回転できる。ロックスリーブ８２及びロックナット３４が「ロック解除」位置にある場合、結合ピン４２をＪ字形結合溝穴５０から取外せるように、係合しているロックナット３４及びロックスリーブ８２をＸ＋方向に長手方向に変位するために、ねじ３８に関してロックナットを回転できる。これにより、雄端部３０及び雌端部２６、すなわち第１のポール部分１４及び第２のポール部分１８を分離できる。
【００２８】
次に図５を参照する。本明細書中、結合システム２２は、２つ以上のポール部分、例えば第１のポール部分１４及び第２のポール部分１８を結合するように構成され且つ動作可能であるものとして説明されたが、ツール１４２を任意のポール部分に結合するように結合システム２２が更に実現されてもよいことが理解されるべきである。特に、上述した管状雌端部２６と形態、構造及び機能に関して同一である管状雌端部２６Ａにツール１４２を結合できる。従って、第１のポール部分１４及び第２のポール部分１８に関して先に説明したように、結合システム２２を利用して、任意のポール部分の雄端部３０にツール１４２を結合できる。ツール１４２は、本明細書において説明された結合システム２２を利用して一体に結合されたポール部分及び／又はポール部分に結合されたツールを有するハンドリングポール１０を利用して所望の作業を実行する任意のツール、計器又は装置であってもよい。
【００２９】
本明細書において、種々の要素、構成要素及び／又は部分を説明するために、第１、第２、第３などの用語が使用されるが、それらの要素、構成要素及び／又は部分がそれらの用語により限定されるべきでないことが理解される。それらの用語は、ある要素、構成要素又は部分を別の要素、構成要素又は部分と区別するために使用されるにすぎない。従って、以下に説明される第１の要素、構成要素又は部分は、本発明の教示から逸脱することなく、第２の要素、構成要素又は部分と呼ばれてもよい。
【００３０】
本明細書において使用される用語は、特定の実施形態を説明することのみを目的とし、限定することを意図しない。本明細書において使用される場合、単数形は、特に指示のない限り、複数形を含むことを意図してもよい。本明細書において使用される場合の用語「具備する」は、記載される特徴、数字、ステップ、動作、要素及び／又は構成要素の存在を特定するが、１つ以上の他の特徴、数字、ステップ、動作、要素、構成要素及び／又はそれらの群の存在又は追加を除外しないことが更に理解されるであろう。
【００３１】
本明細書中の説明は、単なる例であり、従って、説明の趣旨から逸脱しない変形例は、本発明の範囲内に含まれることを意図する。そのような変形例は、本発明の趣旨の範囲からの逸脱としてみなされるべきではない。
【符号の説明】
【００３２】
１０    分割ハンドリングポール
１４    第１のポール部分
１８    第２のポール部分
２２    結合システム
２６    管状雌端部
３０    雄端部
３４    ロックナット
４２    結合ピン
５０    Ｊ字形結合溝穴
７１    ロックナットの本体部分
７２    ロックナットのネック部分
７４    偏向ロックスリーブ構体
７８    第１のポール部分のロックスリーブ構体部分
８２    ロックスリーブ
８６    偏向装置
８８    ロックスリーブの内部空洞
９０    ロックスリーブつば
９４    ロック凹部
９８    ロックナットのネック部分の平坦な側面
１００    ロックスリーブの平坦な縁部
１０４    ロックナットのネック部分の下部切欠き
１１０    ロックスリーブ保持ピン
１４２    ツール
【図１】
2009236913.tif 000003
【図１Ａ】
2009236913.tif 000004
【図２】
2009236913.tif 000005
【図３Ａ】
2009236913.tif 000006
【図３Ｂ】
2009236913.tif 000007
【図３Ｃ】
2009236913.tif 000008
【図４Ａ】
2009236913.tif 000009
【図４Ｂ】
2009236913.tif 000010
【図５】
2009236913.tif 000011